(57)【要約】【課題】コネクタが確実に接続されたことをはっきりとユーザが認識できるコネクタ接続検出回路を提供する。【解決手段】コンデンサと、ブザーと、前記コンデンサに接続される第１の端子と、前記ブザーに接続される第２の端子とを有する第１のコネクタと、を備え、前記第１のコネクタに第２のコネクタが接続され前記第１の端子と前記第２の端子とが短絡されると、前記コンデンサの放電により前記ブザーに電流が流れ、前記ブザーが音声を発する構成とした。【選択図】図１
2010266981.tif 000002
【特許請求の範囲】
【請求項１】
コンデンサと、ブザーと、
前記コンデンサに接続される第１の端子と、前記ブザーに接続される第２の端子とを有する第１のコネクタと、を備え、
前記第１のコネクタに第２のコネクタが接続され前記第１の端子と前記第２の端子とが短絡されると、前記コンデンサの放電により前記ブザーに電流が流れ、前記ブザーが音声を発することを特徴とするコネクタ接続検出回路。
【請求項２】
電源と前記コンデンサとの電気的接続をオンオフするスイッチと、スイッチ制御部と、を備え、
オン状態の前記スイッチを介して電源により前記コンデンサが蓄電された状態で、前記スイッチ制御部は前記スイッチをオフ状態とし、前記第１のコネクタに前記第２のコネクタが接続され前記第１の端子と前記第２の端子とが短絡されると、前記コンデンサの放電により前記ブザーに電流が流れ、前記ブザーが音声を発することを特徴とする請求項１に記載のコネクタ接続検出回路。
【請求項３】
前記第１のコネクタが映像信号用端子を有した請求項１または請求項２に記載のコネクタ接続検出回路を備えた映像機器。
【請求項４】
第１の映像機器と、映像ケーブルと、第２の映像機器とからなる映像システムであって、
前記第１の映像機器は、コンデンサと、ブザーと、
前記コンデンサに接続される第１の端子と、前記ブザーに接続される第２の端子と、映像信号出力用端子とを有する第１のコネクタと、を備え、
前記映像ケーブルは、
前記第１のコネクタと接続可能で、第３の端子と第４の端子と第１の映像信号伝送用端子を有した第２のコネクタと、
前記第３の端子とケーブル線で接続された第５の端子と、前記第４の端子とケーブル線で接続された第６の端子と、前記第１の映像信号伝送用端子とケーブル線で接続された第２の映像信号伝送用端子とを有した第３のコネクタと、を備え、
前記第２の映像機器は、前記第３のコネクタと接続可能で、第７の端子と、前記第７の端子と短絡された第８の端子と、映像信号入力用端子とを有した第４のコネクタを備え、
前記第２のコネクタが前記第１のコネクタに接続され、前記第３のコネクタが前記第４のコネクタに接続されると、前記第１の端子と前記第３の端子、前記第２の端子と前記第４の端子、前記第５の端子と前記第７の端子、前記第６の端子と前記第８の端子、前記映像信号出力用端子と前記第１の映像信号伝送用端子、前記第２の映像信号伝送用端子と前記映像信号入力用端子、のそれぞれが接続され、
前記第１の端子と前記第２の端子とが短絡されることで、前記コンデンサの放電により前記ブザーに電流が流れ、前記ブザーが音声を発することを特徴とする映像システム。
【請求項５】
第１の映像機器と、映像ケーブルと、第２の映像機器とからなる映像システムであって、
前記第１の映像機器は、コンデンサと、ブザーと、
前記コンデンサに接続される第１の端子と、前記ブザーに接続される第２の端子と、映像信号出力用端子とを有する第１のコネクタと、を備え、
前記映像ケーブルは、
前記第１のコネクタと接続可能で、第３の端子と、前記第３の端子と短絡された第４の端子と、第１の映像信号伝送用端子を有した第２のコネクタと、
前記第１の映像信号伝送用端子とケーブル線で接続された第２の映像信号伝送用端子を有した第３のコネクタと、を備え、
前記第２の映像機器は、前記第３のコネクタと接続可能で、映像信号入力用端子を有した第４のコネクタを備え、
前記第２のコネクタが前記第１のコネクタに接続されると、前記第１の端子と前記第３の端子、前記第２の端子と前記第４の端子、前記映像信号出力用端子と前記第１の映像信号伝送用端子、前記第２の映像信号伝送用端子と前記映像信号入力用端子、のそれぞれが接続され、
前記第１の端子と前記第２の端子とが短絡されることで、前記コンデンサの放電により前記ブザーに電流が流れ、前記ブザーが音声を発することを特徴とする映像システム。
【発明の詳細な説明】
【技術分野】
【０００１】
本発明は、コネクタ接続検出回路、映像機器および映像システムに関する。
【背景技術】
【０００２】
従来から、ＤＶＤプレーヤ、ＤＶＤレコーダ、Ｂｌｕ−ｒａｙ  Ｄｉｓｋレコーダ、ＨＤＤレコーダ、テレビ、プロジェクタ等の様々な映像機器をはじめ、あらゆる電子機器には、コネクタが設けられている。また、電子機器の部品同士もコネクタにより接続されているものが多い。
【０００３】
コネクタ接続を確実なものとするための技術が様々に提案されており、例えば、特許文献１には、次のような技術が開示されている。
【０００４】
システム制御基板が有するコネクタに接続されるコネクタの両端に隣接して設けられる端子同士が短絡されている。そして、前記隣接する端子がシステム制御基板が有するコネクタに接続されていない状態では、システム制御基板が有するＩ／Ｏにプルアップ電源電圧が印加され、前記隣接する端子がシステム制御基板が有するコネクタに接続される状態では、端子同士が短絡していることによりＩ／Ｏにはプルアップ電源電圧の分圧が印加される。もし、Ｉ／Ｏへの２つの印加電圧のうち一方のみがプルアップ電源電圧であると、システム制御基板が有するＣＰＵが判断すると、コネクタが正常に接続されていないとして、接続異常を示す表示をさせる。これにより、ユーザは、コネクタが確実に接続されていないことを認識できる。
【先行技術文献】
【特許文献】
【０００５】
【特許文献１】特開２００６−２１０２０７号公報
【発明の概要】
【発明が解決しようとする課題】
【０００６】
しかし、上記特許文献１では、コネクタが確実に接続されており、Ｉ／Ｏへの２つの印加電圧の両方がプルアップ電源電圧の分圧であれば、ＣＰＵは特に通知は行わないので、ユーザは、コネクタが確実に接続されていることをはっきりとは認識できなかった。
【０００７】
上記問題点を鑑みて、本発明は、コネクタが確実に接続されたことをはっきりとユーザが認識できるコネクタ接続検出回路、映像機器および映像システムを提供することを目的とする。
【課題を解決するための手段】
【０００８】
上記目的を達成するために本発明のコネクタ接続検出回路は、コンデンサと、ブザーと、
前記コンデンサに接続される第１の端子と、前記ブザーに接続される第２の端子とを有する第１のコネクタと、を備え、
前記第１のコネクタに第２のコネクタが接続され前記第１の端子と前記第２の端子とが短絡されると、前記コンデンサの放電により前記ブザーに電流が流れ、前記ブザーが音声を発する構成とした。
【０００９】
このような構成によれば、第１のコネクタに第２のコネクタを接続すると、ブザーが音声を発するので、コネクタが確実に接続されたことをはっきりとユーザが認識できる。
【００１０】
また、上記構成において、電源と前記コンデンサとの電気的接続をオンオフするスイッチと、スイッチ制御部と、を備え、
オン状態の前記スイッチを介して電源により前記コンデンサが蓄電された状態で、前記スイッチ制御部は前記スイッチをオフ状態とし、前記第１のコネクタに前記第２のコネクタが接続され前記第１の端子と前記第２の端子とが短絡されると、前記コンデンサの放電により前記ブザーに電流が流れ、前記ブザーが音声を発する構成としてもよい。
【００１１】
このような構成によれば、第１のコネクタに第２のコネクタを接続する際、スイッチはオフとなっており、コンデンサの放電が完了するとブザーには電流は流れないので、ブザーが鳴り続けることを防止できる。
【００１２】
また、上記いずれかの構成において前記第１のコネクタが映像信号用端子を有した構成であるコネクタ接続検出回路を、映像機器に備えるようにしてもよい。これにより、コネクタが確実に接続されると、映像信号の出力または入力を確実にできる。
【００１３】
また、上記目的を達成するために、本発明の映像システムは、第１の映像機器と、映像ケーブルと、第２の映像機器とからなる映像システムであって、
前記第１の映像機器は、コンデンサと、ブザーと、
前記コンデンサに接続される第１の端子と、前記ブザーに接続される第２の端子と、映像信号出力用端子とを有する第１のコネクタと、を備え、
前記映像ケーブルは、
前記第１のコネクタと接続可能で、第３の端子と第４の端子と第１の映像信号伝送用端子を有した第２のコネクタと、
前記第３の端子とケーブル線で接続された第５の端子と、前記第４の端子とケーブル線で接続された第６の端子と、前記第１の映像信号伝送用端子とケーブル線で接続された第２の映像信号伝送用端子とを有した第３のコネクタと、を備え、
前記第２の映像機器は、前記第３のコネクタと接続可能で、第７の端子と、前記第７の端子と短絡された第８の端子と、映像信号入力用端子とを有した第４のコネクタを備え、
前記第２のコネクタが前記第１のコネクタに接続され、前記第３のコネクタが前記第４のコネクタに接続されると、前記第１の端子と前記第３の端子、前記第２の端子と前記第４の端子、前記第５の端子と前記第７の端子、前記第６の端子と前記第８の端子、前記映像信号出力用端子と前記第１の映像信号伝送用端子、前記第２の映像信号伝送用端子と前記映像信号入力用端子、のそれぞれが接続され、
前記第１の端子と前記第２の端子とが短絡されることで、前記コンデンサの放電により前記ブザーに電流が流れ、前記ブザーが音声を発する構成とした。
【００１４】
このような構成によれば、映像ケーブルの第２のコネクタを第１の映像機器の第１のコネクタに確実に接続し、映像ケーブルの第３のコネクタを第２の映像機器の第４のコネクタに確実に接続したことを、ブザーの音声によりユーザははっきりと認識できる。
【００１５】
そして、コネクタの確実な接続により、第１の映像機器の映像信号出力用端子から出力される映像信号は、第１の映像信号伝送用端子、第２の映像信号伝送用端子および映像信号入力用端子を介して確実に第２の映像機器に伝送でき、映像表示の乱れを抑えることができる。
【００１６】
また、上記目的を達成するために、本発明の映像システムは、第１の映像機器と、映像ケーブルと、第２の映像機器とからなる映像システムであって、
前記第１の映像機器は、コンデンサと、ブザーと、
前記コンデンサに接続される第１の端子と、前記ブザーに接続される第２の端子と、映像信号出力用端子とを有する第１のコネクタと、を備え、
前記映像ケーブルは、
前記第１のコネクタと接続可能で、第３の端子と、前記第３の端子と短絡された第４の端子と、第１の映像信号伝送用端子を有した第２のコネクタと、
前記第１の映像信号伝送用端子とケーブル線で接続された第２の映像信号伝送用端子を有した第３のコネクタと、を備え、
前記第２の映像機器は、前記第３のコネクタと接続可能で、映像信号入力用端子を有した第４のコネクタを備え、
前記第２のコネクタが前記第１のコネクタに接続されると、前記第１の端子と前記第３の端子、前記第２の端子と前記第４の端子、前記映像信号出力用端子と前記第１の映像信号伝送用端子、前記第２の映像信号伝送用端子と前記映像信号入力用端子、のそれぞれが接続され、
前記第１の端子と前記第２の端子とが短絡されることで、前記コンデンサの放電により前記ブザーに電流が流れ、前記ブザーが音声を発する構成とした。
【００１７】
このような構成によれば、映像ケーブルの第２のコネクタを第１の映像機器の第１のコネクタに確実に接続したことを、ブザーの音声によりユーザははっきりと認識できる。
【００１８】
そして、映像ケーブルの第３のコネクタと第２の映像機器の第４のコネクタを確実に接続さえすれば、第１の映像機器の映像信号出力用端子から出力される映像信号は、第１の映像信号伝送用端子、第２の映像信号伝送用端子および映像信号入力用端子を介して確実に第２の映像機器に伝送でき、映像表示の乱れを抑えることができる。
【発明の効果】
【００１９】
本発明のコネクタ接続検出回路、映像機器および映像システムによれば、コネクタが確実に接続されたことをはっきりとユーザが認識できる。
【図面の簡単な説明】
【００２０】
【図１】第１実施形態に係る第１の映像機器、映像ケーブルおよび第２の映像機器のコネクタ接続検出に関する構成を示す図である。
【図２】第１実施形態に係る第１の映像機器と第２の映像機器を映像ケーブルで接続した状態を示す図である。
【図３】第２実施形態に係る第１の映像機器、映像ケーブルおよび第２の映像機器のコネクタ接続検出に関する構成を示す図である。
【図４】第２実施形態に係る第１の映像機器と第２の映像機器を映像ケーブルで接続した状態を示す図である。
【発明を実施するための形態】
【００２１】
以下に本発明の実施形態を図面を参照して説明する。
【００２２】
（第１実施形態）
図１は、第１実施形態に係る第１の映像機器１００、映像ケーブル１０１および第２の映像機器１０２のコネクタ接続検出に関する構成を示す図である。
【００２３】
第１の映像機器１００は、ＡＣコンセント１と、リレースイッチ２と、ダイオード３と、コンデンサ４と、コネクタ５と、ブザー６と、ＡＣ／ＤＣ変換回路７と、マイコン８と、を備えている。
【００２４】
ＡＣコンセント１は、商用電源を供給するコンセントに挿入可能であり、ＡＣコンセント１の２つの端子の一方が、リレースイッチ２の接点２ａに接続される。また、ＡＣコンセント１の２つの端子が、ＡＣ／ＤＣ変換回路７に接続される。
【００２５】
リレースイッチ２は、接点２ａ、２ｂと、コイル２ｃを有している。コイル２ｃに電流が流れていないと接点２ａ、２ｂが接続状態であり、リレースイッチ２はオンとなる。そして、コイル２ｃに電流が流れると、電磁力により接点２ａ、２ｂの接続状態が解除され、リレースイッチ２はオフとなる。
【００２６】
リレースイッチ２の接点２ｂは、整流用のダイオード３のアノードに接続される。ダイオード３のカソードは、コネクタ５の端子５ｂに接続される。ダイオード３のカソードと端子５ｂの接続ラインの途中にコンデンサ４の一端が接続され、コンデンサ４の他端は接地される。
【００２７】
コネクタ５は、３つの端子５ａ、５ｂ、５ｃを有している。端子５ａは映像信号出力用の端子である。端子５ｃは、ブザー６の一端に接続され、ブザー６の他端は接地される。
【００２８】
ＡＣ／ＤＣ変換回路７は、ＡＣコンセント１から入力されるＡＣ電圧をＤＣ電圧に変換して、ＤＣ電圧をマイコン８に供給する回路である。
【００２９】
マイコン８は、第１の映像機器１００の各部を制御する回路である。マイコン８は、リレースイッチ２のコイル２ｃの一端に接続され、コイル２ｃの他端は接地される。
【００３０】
映像ケーブル１０１は、コネクタ９と、コネクタ１０とを有している。コネクタ９は、第１の映像機器１００のコネクタ５に接続可能であり、３つの端子９ａ、９ｂ、９ｃを有する。また、コネクタ１０は、第２の映像機器１０２のコネクタ１１に接続可能であり、３つの端子１０ａ、１０ｂ、１０ｃを有する。そして、端子９ａと端子１０ａが、端子９ｂと端子１０ｂが、端子９ｃと端子１０ｃが、それぞれケーブル線により接続される。
【００３１】
第２の映像機器１０２は、コネクタ１１を有している。コネクタ１１は、３つの端子１１ａ、１１ｂ、１１ｃを有し、端子１１ａは映像信号入力用であり、端子１１ｂと端子１１ｃは短絡されている。
【００３２】
以上のような構成である第１の映像機器１００によるコネクタ接続検出動作について次に説明する。
【００３３】
まず、映像ケーブル１０１が第１の映像機器１００および第２の映像機器１０２に接続されていない状態で、ＡＣコンセント１が商用電源用コンセントに挿入されると、ＡＣ／ＤＣ変換回路７からのＤＣ電圧供給によりマイコン８が起動すると共に、ＡＣコンセント１からのＡＣ電圧が、オン状態であるリレースイッチ２を介してダイオード３で整流され、コンデンサ４の蓄電が開始される。
【００３４】
そして、コンデンサ４が蓄電された状態で、マイコン８はリレースイッチ２のコイル２ｃに電流を流し、リレースイッチ２をオフとする。
【００３５】
この状態で、図２に示すように、映像ケーブル１０１のコネクタ９を第１の映像機器のコネクタ５に接続し、映像ケーブル１０１のコネクタ１０を第２の映像機器１０２のコネクタ１１に接続すると、端子５ｂと端子９ｂ、端子１０ｂと端子１１ｂ、端子１０ｃと端子１１ｃ、端子５ｃと端子９ｃ、それぞれが接続され、端子５ｂと端子５ｃとが短絡される。これにより、コンデンサ４の放電によりブザー６に電流が流れ、ブザー６がビープ音を発する。
【００３６】
ブザー６のビープ音により、コネクタ９とコネクタ５、コネクタ１０とコネクタ１１それぞれが確実に接続されたことをユーザははっきりと認識できる。コネクタ９とコネクタ５、コネクタ１０とコネクタ１１それぞれが確実に接続されていれば、端子５ａと端子９ａ、端子１０ａと端子１１ａが確実に接続されるので、映像信号を第１の映像機器１００から第２の映像機器１０２に確実に送ることができ、映像表示の乱れを抑えることができる。
【００３７】
なお、リレースイッチ２はオフとなっているので、コンデンサ４の放電が完了すれば、ブザー６は鳴らなくなり、ブザー６が鳴り続けることを防止できる。
【００３８】
（第２実施形態）
図３は、第２実施形態に係る第１の映像機器１００、映像ケーブル１０３および第２の映像機器１０４のコネクタ接続検出に関する構成を示す図である。
【００３９】
第１の映像機器１００の構成については第１実施形態で説明したので説明を省く。
【００４０】
映像ケーブル１０３は、コネクタ１２と、コネクタ１３とを有している。コネクタ１２は、第１の映像機器１００のコネクタ５と接続可能であり、３つの端子１２ａ、１２ｂ、１２ｃを有する。また、コネクタ１３は、第２の映像機器１０４のコネクタ１４に接続可能であり、端子１３ａを有する。端子１２ａと端子１３ａがケーブル線により接続され、端子１２ｂと端子１２ｃは短絡している。
【００４１】
また、第２の映像機器１０４は、コネクタ１４を有しており、コネクタ１４は、映像信号入力用の端子１４ａを有する。
【００４２】
次に、第１の映像機器１００によるコネクタ接続検出動作について説明する。
【００４３】
映像ケーブル１０３が第１の映像機器１００および第２の映像機器１０４に接続されていない状態で、ＡＣコンセント１が商用電源用コンセントに挿入されると、第１実施形態で述べたように、コンデンサ４が蓄電され、リレースイッチ２がオフとなる。
【００４４】
この状態で、図４に示すように、映像ケーブル１０３のコネクタ１２を第１の映像機器のコネクタ５に接続すると、端子５ｂと端子１２ｂ、端子５ｃと端子１２ｃ、それぞれが接続され、端子５ｂと端子５ｃとが短絡される。これにより、コンデンサ４の放電によりブザー６に電流が流れ、ブザー６がビープ音を発する。
【００４５】
ブザー６のビープ音により、コネクタ１２とコネクタ５が確実に接続されたことをユーザははっきりと認識できる。そして、映像ケーブル１０３のコネクタ１３を、第２の映像機器１０４のコネクタ１４に確実に接続さえすれば、端子１２ａと端子５ａ、端子１３ａと端子１４ａが確実に接続されるので、映像信号を第１の映像機器１００から第２の映像機器１０４に確実に送ることができ、映像表示の乱れを抑えることができる。
【００４６】
また、本実施形態では、第２の映像機器１０４のコネクタ１４は、一般的なコネクタを利用できるといったメリットもある。
【００４７】
以上、本発明に係る実施形態について説明したが、本発明の趣旨の範囲内であれば実施形態は様々に変更可能である。
【００４８】
例えば、映像ケーブルに限らず、音声ケーブル、プリンタケーブル等々あらゆるケーブルの接続に本発明を適用できる。
【符号の説明】
【００４９】
１  ＡＣコンセント
２  リレースイッチ
３  ダイオード
４  コンデンサ
５  コネクタ
６  ブザー
７  ＡＣ／ＤＣ変換回路
８  マイコン
９  コネクタ
１０、１１、１２、１３、１４  コネクタ
１００  第１の映像機器
１０１、１０３  映像ケーブル
１０２、１０４  第２の映像機器
【図１】
2010266981.tif 000003
【図２】
2010266981.tif 000004
【図３】
2010266981.tif 000005
【図４】
2010266981.tif 000006